(57)【特許請求の範囲】
【請求項１】
先端近傍の外周部に凹部を有する内針と、
前記内針に対して長さ方向摺動自在に外嵌する円筒状の外針と、
前記内針の基端部を保持する内針保持部材と、
前記外針の基端部を保持する外針保持部材と、
前記内針保持部材及び前記外針保持部材を進退自在に収容する筐体と、
前記内針保持部材及び前記外針保持部材を後退操作する後退操作手段と、
後退操作された前記内針保持部材を所定の発射待機位置で係止する内針係止手段と、
後退操作された前記外針保持部材を所定の発射待機位置で係止する外針係止手段と、
前記内針係止手段及び前記外針係止手段を順次係止解除する係止解除操作手段と、
前記内針保持部材の後退操作に応じて蓄勢され、前記内針係止手段の係止解除操作に応じて前記内針を前進方向に発射させる内針発射バネと、
前記外針保持部材の後退操作に応じて蓄勢され、前記外針係止手段の係止解除操作に応じて前記外針を前進方向に発射させる外針発射バネと、を備え、
前記内針の発射後に前記凹部に入り込んだ生体組織を前記外針の発射により切断採取する生検針装置であって、
前記内針は、中空部を有する円筒針であり、
前記内針保持部材は、
前記内針の中空部を介して前記凹部と連通するシリンダと、
前記シリンダに進退自在に内装されるピストンと、
前記ピストンを所定の後退待機位置で係止するピストン係止手段と、
前記内針保持部材の後退操作に応じて蓄勢され、前記ピストン係止手段の係止解除操作に応じて前記ピストンを前記シリンダに対して後退させるピストン後退バネと、を備え、
前記係止解除操作手段は、
前記内針係止手段、前記ピストン係止手段及び前記外針係止手段を順次係止解除することが可能であり、
前記内針係止手段の係止解除操作に応じた前記内針の発射後、前記ピストン係止手段の係止解除操作に応じて前記ピストン後退バネが前記ピストンを後退させることにより、前記内針の凹部に負圧を発生させて該凹部内に生体組織を吸引し、その後、前記外針係止手段の係止解除操作に応じて前記外針を発射させて前記凹部に入り込んだ生体組織を切断採取することを特徴とする生検針装置。
【請求項２】
先端近傍の外周部に凹部を有する内針と、
前記内針に対して長さ方向摺動自在に外嵌する円筒状の外針と、
前記内針の基端部を保持する内針保持部材と、
前記外針の基端部を保持する外針保持部材と、
前記内針保持部材及び前記外針保持部材を進退自在に収容する筐体と、
前記内針保持部材及び前記外針保持部材を後退操作する後退操作手段と、
後退操作された前記内針保持部材を所定の発射待機位置で係止する内針係止手段と、
後退操作された前記外針保持部材を所定の発射待機位置で係止する外針係止手段と、
前記内針係止手段及び前記外針係止手段を順次係止解除する係止解除操作手段と、
前記内針保持部材の後退操作に応じて蓄勢され、前記内針係止手段の係止解除操作に応じて前記内針を前進方向に発射させる内針発射バネと、
前記外針保持部材の後退操作に応じて蓄勢され、前記外針係止手段の係止解除操作に応じて前記外針を前進方向に発射させる外針発射バネと、を備え、
前記内針の発射後に前記凹部に入り込んだ生体組織を前記外針の発射により切断採取する生検針装置であって、
前記内針は、中空部を有する円筒針であり、
前記内針保持部材は、
前記内針の中空部を介して前記凹部と連通するシリンダと、
前記シリンダに進退自在に内装されるピストンと、
前記ピストンを前記シリンダに対して後退方向に付勢可能なピストン後退バネと、
前記ピストンを所定の後退待機位置で係止するピストン係止手段と、を備え、
前記筐体は、前記内針保持部材の後退操作時に前記ピストンの後退を制限し、該ピストンを前記シリンダに対して相対的に前進させつつ前記ピストン後退バネを蓄勢させるピストンストッパを備え、
前記係止解除操作手段は、
前記内針係止手段、前記ピストン係止手段及び前記外針係止手段を順次係止解除することが可能であり、
前記内針係止手段の係止解除操作に応じた前記内針の発射後、前記ピストン係止手段の係止解除操作に応じて前記ピストン後退バネが前記ピストンを後退させることにより、前記内針の凹部に負圧を発生させて該凹部内に生体組織を吸引し、その後、前記外針係止手段の係止解除操作に応じて前記外針を発射させて前記凹部に入り込んだ生体組織を切断採取することを特徴とする生検針装置。
【請求項３】
前記筐体の外部から前記シリンダの内部を目視可能にする体液採取確認窓を備えることを特徴とする請求項１又は２に記載の生検針装置。
【発明の詳細な説明】
【技術分野】
【０００１】
本発明は、生体組織を採取する際に使用される生検針装置に関する。
【背景技術】
【０００２】
生検針装置としては、先端近傍の外周部に凹部を有する内針と、内針に対して長さ方向摺動自在に外嵌する円筒状の外針と、内針の基端部を保持する内針保持部材と、外針の基端部を保持する外針保持部材と、内針保持部材及び外針保持部材を進退自在に収容する筐体と、内針保持部材及び外針保持部材を後退操作する後退操作手段と、後退操作された内針保持部材を所定の発射待機位置で係止する内針係止手段と、後退操作された外針保持部材を所定の発射待機位置で係止する外針係止手段と、内針係止手段及び外針係止手段を順次係止解除する係止解除操作手段と、内針保持部材の後退操作に応じて蓄勢され、内針係止手段の係止解除操作に応じて内針を前進方向に発射させる内針発射バネと、外針保持部材の後退操作に応じて蓄勢され、外針係止手段の係止解除操作に応じて外針を前進方向に発射させる外針発射バネと、を備え、内針の発射後に該内針の凹部に入り込んだ生体組織を外針の発射により切断採取するものが知られている（例えば、特許文献１参照）。このような生検針装置によれば、内針及び外針を生体に刺入した後、内針の発射操作及び外針の発射操作を順次行うだけで、生体組織を容易に採取することが可能になる。
【先行技術文献】
【特許文献】
【０００３】
【特許文献１】特公平６−２８６６３号公報
【発明の概要】
【発明が解決しようとする課題】
【０００４】
しかしながら、特許文献１の生検針装置では、内針の発射後に該内針の凹部に生体組織が自主的に入り込むことが前提となっており、内針の凹部に生体組織が自主的に入り込まない場合は、外針を発射しても必要量の生体組織を採取することができないという問題があった。また、特許文献１の生検針装置では、生体組織の採取は可能であるが、体液を採取することは困難であった。
【課題を解決するための手段】
【０００５】
本発明は、上記の如き実情に鑑みこれらの課題を解決することを目的として創作されたものであって、請求項１の発明は、先端近傍の外周部に凹部を有する内針と、前記内針に対して長さ方向摺動自在に外嵌する円筒状の外針と、前記内針の基端部を保持する内針保持部材と、前記外針の基端部を保持する外針保持部材と、前記内針保持部材及び前記外針保持部材を進退自在に収容する筐体と、前記内針保持部材及び前記外針保持部材を後退操作する後退操作手段と、後退操作された前記内針保持部材を所定の発射待機位置で係止する内針係止手段と、後退操作された前記外針保持部材を所定の発射待機位置で係止する外針係止手段と、前記内針係止手段及び前記外針係止手段を順次係止解除する係止解除操作手段と、前記内針保持部材の後退操作に応じて蓄勢され、前記内針係止手段の係止解除操作に応じて前記内針を前進方向に発射させる内針発射バネと、前記外針保持部材の後退操作に応じて蓄勢され、前記外針係止手段の係止解除操作に応じて前記外針を前進方向に発射させる外針発射バネと、を備え、前記内針の発射後に前記凹部に入り込んだ生体組織を前記外針の発射により切断採取する生検針装置であって、前記内針は、中空部を有する円筒針であり、前記内針保持部材は、前記内針の中空部を介して前記凹部と連通するシリンダと、前記シリンダに進退自在に内装されるピストンと、前記ピストンを所定の後退待機位置で係止するピストン係止手段と、前記内針保持部材の後退操作に応じて蓄勢され、前記ピストン係止手段の係止解除操作に応じて前記ピストンを前記シリンダに対して後退させるピストン後退バネと、を備え、前記係止解除操作手段は、前記内針係止手段、前記ピストン係止手段及び前記外針係止手段を順次係止解除することが可能であり、前記内針係止手段の係止解除操作に応じた前記内針の発射後、前記ピストン係止手段の係止解除操作に応じて前記ピストン後退バネが前記ピストンを後退させることにより、前記内針の凹部に負圧を発生させて該凹部内に生体組織を吸引し、その後、前記外針係止手段の係止解除操作に応じて前記外針を発射させて前記凹部に入り込んだ生体組織を切断採取することを特徴とする。
また、請求項２の発明は、先端近傍の外周部に凹部を有する内針と、前記内針に対して長さ方向摺動自在に外嵌する円筒状の外針と、前記内針の基端部を保持する内針保持部材と、前記外針の基端部を保持する外針保持部材と、前記内針保持部材及び前記外針保持部材を進退自在に収容する筐体と、前記内針保持部材及び前記外針保持部材を後退操作する後退操作手段と、後退操作された前記内針保持部材を所定の発射待機位置で係止する内針係止手段と、後退操作された前記外針保持部材を所定の発射待機位置で係止する外針係止手段と、前記内針係止手段及び前記外針係止手段を順次係止解除する係止解除操作手段と、前記内針保持部材の後退操作に応じて蓄勢され、前記内針係止手段の係止解除操作に応じて前記内針を前進方向に発射させる内針発射バネと、前記外針保持部材の後退操作に応じて蓄勢され、前記外針係止手段の係止解除操作に応じて前記外針を前進方向に発射させる外針発射バネと、を備え、前記内針の発射後に前記凹部に入り込んだ生体組織を前記外針の発射により切断採取する生検針装置であって、前記内針は、中空部を有する円筒針であり、前記内針保持部材は、前記内針の中空部を介して前記凹部と連通するシリンダと、前記シリンダに進退自在に内装されるピストンと、前記ピストンを前記シリンダに対して後退方向に付勢可能なピストン後退バネと、前記ピストンを所定の後退待機位置で係止するピストン係止手段と、を備え、前記筐体は、前記内針保持部材の後退操作時に前記ピストンの後退を制限し、該ピストンを前記シリンダに対して相対的に前進させつつ前記ピストン後退バネを蓄勢させるピストンストッパを備え、前記係止解除操作手段は、前記内針係止手段、前記ピストン係止手段及び前記外針係止手段を順次係止解除することが可能であり、前記内針係止手段の係止解除操作に応じた前記内針の発射後、前記ピストン係止手段の係止解除操作に応じて前記ピストン後退バネが前記ピストンを後退させることにより、前記内針の凹部に負圧を発生させて該凹部内に生体組織を吸引し、その後、前記外針係止手段の係止解除操作に応じて前記外針を発射させて前記凹部に入り込んだ生体組織を切断採取することを特徴とする。
請求項３の発明は、前記筐体の外部から前記シリンダの内部を目視可能にする体液採取確認窓を備えることを特徴とする。
【発明の効果】
【０００６】
請求項１の発明によれば、内針の発射後、ピストン係止手段の係止解除操作に応じてピストン後退バネがピストンを後退させることにより、内針の凹部に負圧を発生させて該凹部内に生体組織を吸い込むので、その後に発射される外針によって凹部に入り込んだ生体組織を確実に切断採取することができ、その結果、内針の凹部に生体組織が自主的に入り込むことを前提としている従来の生検針装置に比べ、生体組織の採取に失敗する確率を飛躍的に低減させることが可能になる。また、内針の凹部に負圧を発生させることにより、内針の中空部やシリンダ内に体液が吸い込まれるので、生体組織と同時に体液の採取も可能になる。
また、請求項２の発明によれば、請求項１と同様な効果が得られる。しかも、内針保持部材の後退操作時にピストンの後退を制限し、該ピストンをシリンダに対して相対的に前進させつつピストン後退バネを蓄勢させるピストンストッパを備えるので、内針保持部材の後退操作に応じたピストンの移動やピストン後退バネの蓄勢を簡単な構成で実現することができる。
また、請求項３の発明によれば、筐体の外部から体液採取確認窓を介して体液の採取状況を確認することが可能になる。
【図面の簡単な説明】
【０００７】
【図１】本発明の実施形態に係る生検針装置の初期状態を示す平面図である。
【図２】本発明の実施形態に係る生検針装置の初期状態を示す側面図である。
【図３】（Ａ）は本発明の実施形態に係る生検針装置の初期状態を示す側断面図、（Ｂ）は該状態における針先部を示す拡大側面図である。
【図４】（Ａ）は本発明の実施形態に係る生検針装置の蓄勢状態を示す側断面図、（Ｂ）は該状態における針先部を示す拡大側面図である。
【図５】（Ａ）は本発明の実施形態に係る生検針装置の内針発射状態を示す側断面図、（Ｂ）は該状態における針先部を示す拡大側面図である。
【図６】（Ａ）は本発明の実施形態に係る生検針装置のピストン後退状態を示す側断面図、（Ｂ）は該状態における針先部を示す拡大側面図である。
【図７】（Ａ）は本発明の実施形態に係る生検針装置の外針発射状態を示す側断面図、（Ｂ）は該状態における針先部を示す拡大側面図である。
【図８】（Ａ）は本発明の実施形態に係る生検針装置の生体組織取り出し状態を示す側断面図、（Ｂ）は該状態における針先部を示す拡大側面図である。
【発明を実施するための形態】
【０００８】
以下、本発明の実施の形態について、図面に基づいて説明する。図面において、１は生体組織を採取する際に使用される生検針装置であって、該生検針装置１は、先端近傍の外周部に凹部２ａを有する内針２と、内針２に対して長さ方向摺動自在に外嵌する円筒状の外針３と、内針２の基端部を保持する内針保持部材４と、外針３の基端部を保持する外針保持部材５と、内針保持部材４及び外針保持部材５を進退自在に収容する筐体６と、内針保持部材４及び外針保持部材５を後退操作する後退操作手段７と、後退操作された内針保持部材４を所定の発射待機位置で係止する内針係止手段８と、後退操作された外針保持部材５を所定の発射待機位置で係止する外針係止手段９と、内針係止手段８及び外針係止手段９を順次係止解除する係止解除操作手段１０と、内針保持部材４の後退操作に応じて蓄勢され、内針係止手段８の係止解除操作に応じて内針２を前進方向に発射させる内針発射バネ１１と、外針保持部材５の後退操作に応じて蓄勢され、外針係止手段９の係止解除操作に応じて外針３を前進方向に発射させる外針発射バネ１２と、を備えており、内針２の発射後に該内針２の凹部２ａに入り込んだ生体組織を外針３の発射により切断採取するように構成されている。
【０００９】
さらに、本発明の実施形態に係る生検針装置１では、内針２が中空部２ｂを有する円筒針となっている。また、内針保持部材４は、内針２の中空部２ｂを介して凹部２ａと連通するシリンダ１３と、シリンダ１３に進退自在に内装されるピストン１４と、ピストン１４をシリンダ１３に対して後退方向に付勢可能なピストン後退バネ１５と、ピストン１４を所定の後退待機位置で係止するピストン係止手段１６と、を備えている。また、筐体６は、内針保持部材４の後退操作時にピストン１４の後退を制限し、該ピストン１４をシリンダ１３に対して相対的に前進させつつピストン後退バネ１５を蓄勢させるピストンストッパ１７を備えている。そして、係止解除操作手段１０は、内針係止手段８、ピストン係止手段１６及び外針係止手段９を順次係止解除することが可能であり、内針係止手段８の係止解除操作に応じた内針２の発射後、ピストン係止手段１６の係止解除操作に応じてピストン後退バネ１５がピストン１４を後退させることにより、内針２の凹部２ａに負圧を発生させて該凹部２ａ内に生体組織を吸引し、その後、外針係止手段９の係止解除操作に応じて外針３を発射させて凹部２ａに入り込んだ生体組織を切断採取するように構成されている。以下、生検針装置１を構成する各種の部品及び手段について詳細に説明する。
【００１０】
内針２は、中空部２ｂを有する円筒針であり、その先端部は、中空部２ｂを塞ぐとともに、生体への刺入を可能にすべく先鋭状に形成されている。また、内針２は、先端部近傍の外周部に凹部２ａを有する。凹部２ａは、生体への刺入後、生体組織を入り込ませて採取するためのものであり、内針２の中空部２ｂは、この凹部２ａを介して上方に開口している。
【００１１】
外針３も、中空部３ａを有する筒状針であり、内針２に対して長さ方向摺動自在に外嵌している。外針３の先端部は、内針２の突出を許容すべく開口されるとともに、生体への刺入や、内針２の凹部２ａに入り込んだ生体組織の切断採取を可能にすべく先鋭状に形成されている。
【００１２】
内針保持部材４は、前後に仕切られた筐体６の前室６ａ及び後室６ｂのうち、後室６ｂに進退自在に収容されている。内針保持部材４は、内針２の基端部を保持し、かつ中空部２ｂを介して先端側の凹部２ａと連通するシリンダ１３を備える。シリンダ１３の内部には、進退自在なピストン１４と、該ピストン１４をシリンダ１３に対して後退方向に付勢可能な圧縮コイルスプリングからなるピストン後退バネ１５とが内装されている。なお、本実施形態のシリンダ１３は、透明な樹脂で形成されており、その内部が目視可能となっている。
【００１３】
さらに、シリンダ１３とピストン１４との間には、ピストン１４を所定の後退待機位置で係止するピストン係止手段１６が構成されている。本実施形態のピストン係止手段１６は、ピストン１４から後方に延出する係止桿１４ａの中間部に形成された係止爪１４ｂと、シリンダ１３の筒部に形成された係止孔１３ａとから構成されており、その係止解除操作は、係止桿１４ａの先端部を係止解除操作手段１０の第２係止解除凸部１０ａで上方に持ち上げることにより行われる。
【００１４】
外針保持部材５は、筐体６の前室６ａに進退自在に収容され、外針３の基端部を保持している。外針保持部材５には、後方に延出する筒状の延出部５ａが形成されており、その先端に形成されるフランジ部５ｂは、外針手動後退操作具１８に後方から係合している。
【００１５】
外針手動後退操作具１８は、図１に示すように、筐体６に形成されるＬ字状のガイド孔６ｃを介して筐体６の上面側に突出する操作凸部１８ａを有する。操作凸部１８ａは、通常、ガイド孔６ｃの前端部に形成される係止溝部６ｄに位置することにより、外針手動後退操作具１８の前後移動を規制する一方、生体組織を採取した後、内針２の凹部２ａから生体組織を取り出す際には、係止溝部６ｄからガイド孔６ｃに沿って後方に操作することにより、手動による外針３の後退操作を可能にする。なお、生検針装置１は、操作凸部１８ａを係止溝部６ｄに向けて付勢するバネを備えるが、その図示は省略する。
【００１６】
筐体６は、生検針装置１の各種の部材や手段を収容する樹脂製のケースであり、その上面部から前方に向けて内針２及び外針３が突出する一方、後面部から係止解除操作手段１０の後端部が突出している。また、筐体６の上面部には、外針手動後退操作具１８の操作凸部１８ａが突出するとともに、筐体６の外部からシリンダ１３の内部を目視可能にする体液採取確認窓６ｅが形成されている。
【００１７】
後退操作手段７は、生体組織の採取に先立ち、内針保持部材４及び外針保持部材５を発射待機位置まで後退操作するために設けられる。本実施形態の後退操作手段７は、筐体６の左右内側面に沿って前後スライド自在に設けられる左右一対の内部スライド部材１９と、筐体６の上面及び左右外側面に沿って前後スライド自在に設けられる外部スライド部材２０とを備えて構成されている。
【００１８】
内部スライド部材１９には、内針保持部材４（シリンダ１３）の前端部に前方から係合する係合爪１９ａと、外針保持部材５の前端部に前方から係合する係合爪１９ｂと、筐体６から突出して外部スライド部材２０に連結される連結部１９ｃとが形成されており、外部スライド部材２０を筐体６に対して後退方向にスライド操作すると、内部スライド部材１９を介して内針保持部材４及び外針保持部材５を発射待機位置まで後退操作することができる。
【００１９】
また、本実施形態では、内針保持部材４の後退操作に応じてピストン１４を後退待機位置に移動させる。つまり、本実施形態の筐体６は、後室６ｂの後端部からピストン１４に向けて突出するピストンストッパ１７を備えており、このピストンストッパ１７は、内針保持部材４の後退操作時にピストン１４の後退を制限し、該ピストン１４をシリンダ１３に対して相対的に後退待機位置まで前進させつつ、ピストン後退バネ１５を圧縮して蓄勢させる。
【００２０】
内針係止手段８は、後退操作された内針保持部材４（シリンダ１３）を所定の発射待機位置で係止する。本実施形態の内針係止手段８は、内針保持部材４の下端部から後方に延設された係止爪４ａと、筐体６に形成された係止部６ｆとで構成されている。
【００２１】
外針係止手段９は、後退操作された外針保持部材５を所定の発射待機位置で係止する。本実施形態の外針係止手段９は、外針保持部材５の下端部から後方に延設された係止爪５ｃと、筐体６に形成された係止部６ｇとで構成されている。
【００２２】
係止解除操作手段１０は、内針係止手段８、ピストン係止手段１６及び外針係止手段９を順次係止解除することが可能である。本実施形態の係止解除操作手段１０は、筐体６の下部に前後スライド自在に収容された棒状部材であり、筐体６から突出する後端部の押し引き操作に基いて内針係止手段８、ピストン係止手段１６及び外針係止手段９を順次係止解除するようになっている。
【００２３】
具体的に説明すると、係止解除操作手段１０には、後側から順番に第１係止解除凸部１０ｂ、第２係止解除凸部１０ａ及び第３係止解除凸部１０ｃが形成されており、最初の押し操作（押し込み量小）に基いて第１係止解除凸部１０ｂが内針保持部材４の係止爪４ａを持ち上げることにより内針係止手段８の係止解除を行う。なお、第１係止解除凸部１０ｂと筐体６の係止部６ｆとは、左右に位置ずれしているため、係止部６ｆによって係止解除操作手段１０のスライド操作が規制されることはない。
【００２４】
つぎに、係止解除操作手段１０を引き操作すると、第２係止解除凸部１０ａが係止桿１４ａを介してピストン１４の係止爪１４ｂを持ち上げることによりピストン係止手段１６の係止解除が行われる。なお、第２係止解除凸部１０ａと内針保持部材４の係止爪４ａとは、左右に位置ずれしているため、係止爪４ａによって係止解除操作手段１０のスライド操作が規制されることはない。
【００２５】
最後に、係止解除操作手段１０を再度押し操作（押し込み量大）すると、第３係止解除凸部１０ｃが外針保持部材５の係止爪５ｃを持ち上げることにより外針係止手段９の係止解除が行われる。
【００２６】
内針発射バネ１１は、圧縮コイルスプリングであり、内針保持部材４（シリンダ１３）の後端と筐体６の後部壁との間に介設されている。そして、内針発射バネ１１は、内針保持部材４の後退操作に応じて蓄勢され、内針係止手段８の係止解除操作に応じて内針２を前進方向に発射させる。
【００２７】
外針発射バネ１２は、圧縮コイルスプリングであり、外針保持部材５の後端と外針手動後退操作具１８との間に介設されている。そして、外針発射バネ１２は、外針保持部材５の後退操作に応じて蓄勢され、外針係止手段９の係止解除操作に応じて外針３を前進方向に発射させる。
【００２８】
つぎに、本発明の実施形態に係る生検針装置１の操作及び動作について図面を参照しつつ説明する。
【００２９】
図１〜図３に示すように、初期状態の生検針装置１では、外針手動後退操作具１８の操作凸部１８ａが筐体６の係止溝部６ｄに位置し、内針保持部材４及び外針保持部材５が前進位置にあり、ピストン１４がシリンダ１３に対して後退した位置にあり、すべてのバネ１１、１２、１５が解放状態となっている。
【００３０】
初期状態の生検針装置１において、外部スライド部材２０を後方へスライド操作すると、内部スライド部材１９が内針保持部材４及び外針保持部材５を後退させる。内針保持部材４及び外針保持部材５が後退すると、内針発射バネ１１及び外針発射バネ１２が蓄勢されるとともに、所定の発射待機位置まで到達した時点で内針係止手段８及び外針係止手段９で係止される。また、ピストン１４は、内針保持部材４の後退に伴ってピストンストッパ１７に当接することにより、シリンダ１３に対して相対的に後退待機位置まで前進しつつ、ピストン後退バネ１５を圧縮して蓄勢させ、ピストン係止手段１６で係止される。図４は、すべてのバネ１１、１２、１５の蓄勢が完了した状態を示しており、このとき内針２は、先端部のみが外針３の先端から突出し、凹部２ａは外針３の中に位置している。
【００３１】
つぎに、図４に示す状態で内針２及び外針３を生体に刺入させる。内針２及び外針３の先端部が所定の組織採取位置に到達したら、係止解除操作手段１０を押し操作する。係止解除操作手段１０を押し操作すると、その第１係止解除凸部１０ｂが内針保持部材４の係止爪４ａを持ち上げることにより内針係止手段８の係止が解除される。内針係止手段８の係止が解除されると、内針発射バネ１１の蓄勢力で内針保持部材４が前進し、内針保持部材４と一体の内針２が前進方向に発射される。図５に示すように、内針２を発射すると、内針２の先端側が外針３の先端から飛び出し、内針２の凹部２ａが生体組織内に露出される。
【００３２】
つぎに、係止解除操作手段１０を引き操作する。係止解除操作手段１０を引き操作すると、その第２係止解除凸部１０ｃがピストン１４の係止桿１４ａを持ち上げることによりピストン係止手段１６の係止が解除される。ピストン係止手段１６の係止が解除されると、ピストン後退バネ１５の蓄勢力でピストン１４がシリンダ１３に対して後退する。図６に示すように、ピストン１４が後退すると、中空部２ｂを介してシリンダ１３と連通された内針２の凹部２ａに負圧が発生し、凹部２ａ内に生体組織が吸引されるとともに、体液が内針２の中空部２ｂを介してシリンダ１３内に吸い込まれる。シリンダ１３内に吸い込まれた体液は、筐体６の体液採取確認窓６ｅを介して目視で確認することができる。
【００３３】
つぎに、係止解除操作手段１０を再び押し操作する。係止解除操作手段１０を再び押し操作すると、その第３係止解除凸部１０ｃが外針保持部材５の係止爪５ｃを持ち上げることにより外針係止手段９の係止が解除される。外針係止手段９の係止が解除されると、外針発射バネ１２の蓄勢力で外針保持部材５が前進し、外針保持部材５と一体の外針３が前進方向に発射される。図７に示すように、外針３を発射すると、外針３の先端が内針２の外周に沿って先進することにより、内針２の凹部２ａに入り込んだ生体組織が切断採取される。
【００３４】
外針３の発射後、内針２及び外針３を生体から引き抜き、採取した生体組織の取り出しを取り出しを行う。図８に示すように、生体組織を取り出す際には、外針手動後退操作具１８の操作凸部１８ａをガイド孔６ｃに沿って後方に操作する。この操作を行うと、外針保持部材５及び外針３が後退し、内針２の凹部２ａが露出状態になるので、凹部２ａ内の生体組織を取り出すことが可能になる。なお、シリンダ１３内の体液は、ピストン１４の前進操作に基いて内針２の先端側から取り出してもよいし、筐体６を分解して取り出すようにしてもよい。
【００３５】
叙述の如く構成された本実施形態によれば、内針２の発射後、ピストン係止手段１６の係止解除操作に応じてピストン後退バネ１５がピストン１４を後退させることにより、内針２の凹部２ａに負圧を発生させて該凹部２ａ内に生体組織を吸い込むので、その後に発射される外針３によって凹部２ａに入り込んだ生体組織を確実に切断採取することができ、その結果、内針２の凹部２ａに生体組織が自主的に入り込むことを前提としている従来の生検針装置に比べ、生体組織の採取に失敗する確率を飛躍的に低減させることが可能になる。
【００３６】
また、内針２の凹部２ａに負圧を発生させることにより、内針２の中空部２ｂやシリンダ１３内に体液が吸い込まれるので、生体組織と同時に体液の採取も可能になる。
【００３７】
また、内針保持部材４の後退操作時にピストン１４の後退を制限し、該ピストン１４をシリンダ１３に対して相対的に前進させつつピストン後退バネ１５を蓄勢させるピストンストッパ１７を備えるので、内針保持部材４の後退操作に応じたピストン１４の移動やピストン後退バネ１５の蓄勢を簡単な構成で実現することができる。
【００３８】
また、筐体６の外部からシリンダ１３の内部を目視可能にする体液採取確認窓６ｅを備えるので、体液の採取状況を容易に確認することができる。
【符号の説明】
【００３９】
１  生検針装置
２  内針
２ａ  凹部
２ｂ  中空部
３  外針
４  内針保持部材
５  外針保持部材
６  筐体
６ｅ  体液採取確認窓
７  後退操作手段
８  内針係止手段
９  外針係止手段
１０  係止解除操作手段
１１  内針発射バネ
１２  外針発射バネ
１３  シリンダ
１４  ピストン
１５  ピストン後退バネ
１６  ピストン係止手段
１７  ピストンストッパ
【要約】
【課題】生体組織の採取に失敗する確率を飛躍的に低減させる。
【解決手段】生検針装置１は、内針係止手段８の係止解除操作に応じた内針２の発射後、ピストン係止手段１６の係止解除操作に応じてピストン後退バネ１５がピストン１４を後退させることにより、内針２の凹部２ａに負圧を発生させて該凹部２ａ内に生体組織を吸引し、その後、外針係止手段９の係止解除操作に応じて外針３を発射させて凹部２ａに入り込んだ生体組織を切断採取するように構成される。
【選択図】図６【図１】
0005804440.tif 000002
【図２】
0005804440.tif 000003
【図３】
0005804440.tif 000004
【図４】
0005804440.tif 000005
【図５】
0005804440.tif 000006
【図６】
0005804440.tif 000007
【図７】
0005804440.tif 000008
【図８】
0005804440.tif 000009